(57)【要約】【課題】実物に近似の複製品からなる記念投票券を発行する記念投票券発行装置及び記念投票券発行プログラムを提供する。【解決手段】ＴＺＳ端末機（記念投票券発行装置）４において複製される投票券の記載情報のうち見た目で直ちに判別できる競技欄６５と賭式欄６６の記載情報は的中投票券の記載情報と同一であり、これらの記載情報をコード化した的中投票券のコード欄６７の見た目には判別が不可能な３行の数字列５８が、無意味な数字列、例えば「９９９９９・・・０００００」等の数字列５８´に置き換えられ、券面に記載されるこれも見た目には判別が不可能な２つのＱＲコードも、数字列５８´をエンコードしたものに置き換えられる。これら競技欄６５、賭式欄６６、コード欄６７の数字列５８´、数字列５８´をエンコードした２つのＱＲコードが、複製的中投票券として本物の投票券を印刷する印刷用紙に印刷されてファンに提供される。【選択図】図１０
2014215770.tif 000002
【特許請求の範囲】
【請求項１】
レース結果及び配当金額を含む競技情報を集計して保管する集計装置と接続し、投票券データに基づいて的中投票券の複製を記念投票券として発行する記念投票券発行装置において、
前記投票券データが示す投票を行ったレースを特定するレース特定情報を含む投票券情報を前記投票券データから読み出す投票券情報読出手段と、
該投票券情報読出手段が読み出した前記レース特定情報に基づいて特定される対象レースに関する前記競技情報を前記集計装置から取得する競技情報取得手段と、
該競技情報取得手段により取得された前記競技情報に基づいて前記投票券データが的中投票券の投票券データであるか否かを判別する的中投票券判別手段と、
該的中投票券判別手段により前記投票券データが前記的中投票券の投票券データであると判別されたとき、前記競技情報に基づいて前記的中投票券の複製データを生成する複製データ生成手段と、
該複製データ生成手段により生成された前記複製データの前記投票券情報を表す記号の一部又は全部が複製投票券であることを表す記号に置き換える投票券情報置換手段と、
該投票券情報置換手段により置き換えられた前記記号を含む前記複製データにより前記複製投票券を投票券と同じ用紙に印刷する印刷手段と、
を有することを特徴とする記念投票券発行装置。
【請求項２】
前記投票券データは、的中投票券投入口に投入された的中投票券に記載されている記録データから読み取られたデータである、ことを特徴とする請求項１記載の記念投票券発行装置。
【請求項３】
前記投票券データは、Ｗｅｂ上の仮想売場で購入された投票券の的中投票券を表す記号である、ことを特徴とする請求項１記載の記念投票券発行装置
【請求項４】
前記記号は２次元コードである、ことを特徴とする請求項１記載の記念投票券発行装置。
【請求項５】
前記記号は１次元コードである、ことを特徴とする請求項１記載の記念投票券発行装置。
【請求項６】
前記記号は数字のみ又は数字と英字の混在した文字列からなるコードである、ことを特徴とする請求項１記載の記念投票券発行装置。
【請求項７】
レース結果及び配当金額を含む競技情報を集計して保管する集計装置と接続し、投票券データに基づいて記念投票券を発行する記念投票券発行装置を制御する制御部により読み取り可能なプログラムであって、
前記投票券データが示す投票を行ったレースを特定するレース特定情報を含む投票券情報を前記投票券データから読み出す投票券情報読出手順と、
該投票券情報読出手順が読み出した前記レース特定情報に基づいて特定される対象レースに関する前記競技情報を前記集計装置から取得する競技情報取得手順と、
該競技情報取得手順により取得された前記競技情報に基づいて前記投票券データが的中投票券の投票券データであるか否かを判別する的中投票券判別手順と、
該的中投票券判別手順により前記投票券データが前記的中投票券の投票券データであると判別されたとき、前記競技情報に基づいて前記的中投票券の複製データを生成する複製データ生成手順と、
該複製データ生成手順により生成された前記複製データの前記投票券情報を表す記号の一部又は全部を的中投票券の本件ではないことを表す記号に置き換える投票券情報置換手順と、
該投票券情報置換手順により置き換えられた前記記号を含む前記複製データにより複製投票券を投票券用紙に印刷する印刷手順と、
を含むことを特徴とする記念投票券発行プログラム。
【発明の詳細な説明】
【技術分野】
【０００１】
本発明は、記念投票券発行装置及び記念投票券発行プログラムに関わり、より詳しくは、公営競技（競馬、競輪、競艇、オート）での投票券の発売と払戻に関する業務をコンピュータで処理するトータリゼータで運営される競技場の投票券コピーサービスにおいて実物に近似の複製品からなる記念投票券を発行する記念投票券発行装置及び記念投票券発行プログラムに関する。
【背景技術】
【０００２】
従来、中央競馬、地方競馬、競輪、競艇、オートレース等の公営競技のファンは、レース前に公営競技場内又は場外発売所で投票券を購入し、購入した投票券が的中したときは、その的中した投票券（以下、的中投票券という）をトータリゼータ端末（以下、ＴＺＳ端末という）で、的中投票券と引き換えに配当金（払戻ともいう）を受け取る。投票券が不的中の場合はその場で投票券を返却する。
【０００３】
ここで、的中投票券と引き換えにファンが払戻を受け取った場合、的中投票券はＴＺＳ端末内に取り込こまれて回収され、廃券処理が行われてしまうため、ファンの手元には戻ってこない。ところで、投票券には、選手または競走馬の名前が印刷されたものや、レースの名称が印刷されたものがある。
【０００４】
一部のファンは、格式の高い大きなレース（重賞と呼ばれる注目度の高いレース）のレースの名称が印刷された投票券や、自分が応援している選手または競走馬の名前が印刷された投票券を「記念投票券」（ご祝儀馬券とも呼ばれる）として購入することがある。
【０００５】
これらの「記念投票券」に対しては、ある特定のメンバーの間やグループの間では、有価証券以上の付加価値が発生することがある。つまり、記念投票券には、ファンの間では趣味の収集対象という要素も含まれている。
【０００６】
ここで、購入した記念投票券が外れれば問題はないが、記念投票券が的中することもある。中には１００円で購入した記念投票券に、１００００円を超えるような高配当の払戻が付くことがある。この場合、ファンとしては「記念投票券」として手元に残しておきたいので、払戻金を受け取ることを諦めてしまうことが多い。
【０００７】
上記のようなファンに対する対策として、競技場では的中投票券のコピーを発券することが行われている。これには、例えば、集計装置から取得した対象レースに関する競技情報と、対象レースの投票券の画像データとで合成した記念投票券を発行する複写サービスが提案されている。（例えば、特許文献１参照。）
【０００８】
また、払戻機において的中投票券の払戻を受取ったときに、記念プリントの注文を行うと、例えばコンビニエンスストア、コピーショップ等の複数の店頭の中からファンが指定した配送先で、的中投票券の記念プリントを受け取ることが出来る複写サービスが提案されている。（例えば、特許文献２参照。）
【先行技術文献】
【特許文献】
【０００９】
【特許文献１】特開２００８−３１０４５８号公報
【特許文献２】特開２００１−３５７１６３号公報
【発明の概要】
【発明が解決しようとする課題】
【００１０】
しかしながら、現状で行われている的中投票券の複写サービスは、使用される複写用の用紙がＴＺＳ端末で使用されている投票券（本券）用の用紙ではないことや、中には表面のみの印刷で裏面に「この投票券はコピーです、払戻しはできません。」などと印刷されていることから、ファンの立場からすると、実物の的中投票券とは違いがあり過ぎて記念投票券としての付加価値が下がってしまうという問題がある。
【００１１】
また、ファンには、競技場や場外売場へ足を運んで投票券を購入するファンの他に、Ｗｅｂ上の仮想売場を利用して投票券を購入するファンが存在する。後者のファンにも「記念投票券」として現物の投票券を手元に残しておきたいと考えるファンは多数存在する。
【００１２】
しかし、仮想売場で電子的に購入した投票券を、競技場のＴＺＳ端末で使用している投票券と同等の用紙で再発券する印刷サービス（複写サービスと同等の役割）は、まだどの競技場においても提供されていない。
【００１３】
本発明は、上記従来の課題を解決するものであって、競技場、場外売場、又はＷｅｂ上の仮想売場に関わりなく、購入された的中投票券に基づいて実物に近似の複製品からなる記念投票券を発行する記念投票券発行装置及び記念投票券発行プログラムを提供することを目的とする。
【課題を解決するための手段】
【００１４】
上記課題を解決するために、本発明の記念投票券発行装置は、レース結果及び配当金額を含む競技情報を集計して保管する集計装置と接続し、投票券データに基づいて的中投票券の複製を記念投票券として発行する記念投票券発行装置において、上記投票券データが示す投票を行ったレースを特定するレース特定情報を含む投票券情報を上記投票券データから読み出す投票券情報読出手段と、該投票券情報読出手段が読み出した上記レース特定情報に基づいて特定される対象レースに関する上記競技情報を上記集計装置から取得する競技情報取得手段と、該競技情報取得手段により取得された上記競技情報に基づいて上記投票券データが的中投票券の投票券データであるか否かを判別する的中投票券判別手段と、該的中投票券判別手段により上記投票券データが上記的中投票券の投票券データであると判別されたとき、上記競技情報に基づいて上記的中投票券の複製データを生成する複製データ生成手段と、該複製データ生成手段により生成された上記複製データの上記投票券情報を表す記号の一部又は全部を的中投票券の本件ではないことを表す記号に置き換える投票券情報置換手段と、該投票券情報置換手段により置き換えられた上記記号を含む上記複製データにより複製投票券を投票券用紙に印刷する印刷手段と、を有するように構成される。
【００１５】
上記記念投票券発行装置において、上記投票券データは、例えば、的中投票券投入口に投入された的中投票券に記載されている記録データから読み取られたデータであり、また、例えば、Ｗｅｂ上の仮想売場で購入された投票券の的中投票券を表すＱＲコード（登録商標）である。
【００１６】
また、上記記念投票券発行装置において、上記記号は、例えば、ＱＲコードであり、例えば、バーコードであり、また、例えば、数字のみ又は数字と英字の混在した文字列からなるコードである。
【００１７】
また、上記課題を解決するために、本発明の記念投票券発行プログラムは、レース結果及び配当金額を含む競技情報を集計して保管する集計装置と接続し、投票券データに基づいて記念投票券を発行する記念投票券発行装置を制御する制御部により読み取り可能なプログラムであって、上記投票券データが示す投票を行ったレースを特定するレース特定情報を含む投票券情報を上記投票券データから読み出す投票券情報読出手順と、該投票券情報読出手順が読み出した上記レース特定情報に基づいて特定される対象レースに関する上記競技情報を上記集計装置から取得する競技情報取得手順と、該競技情報取得手順により取得された上記競技情報に基づいて上記投票券データが的中投票券の投票券データであるか否かを判別する的中投票券判別手順と、該的中投票券判別手順により上記投票券データが上記的中投票券の投票券データであると判別されたとき、上記競技情報に基づいて上記的中投票券の複製データを生成する複製データ生成手順と、該複製データ生成手順により生成された上記複製データの上記投票券情報を表す記号の一部又は全部を的中投票券の本件ではないことを表す記号に置き換える投票券情報置換手順と、該投票券情報置換手順により置き換えられた上記記号を含む上記複製データにより複製投票券を投票券用紙に印刷する印刷手順と、を含んで構成される。
【発明の効果】
【００１８】
本発明は、競技場、場外売場、又はＷｅｂ上の仮想売場に関わりなく購入された的中投票券に基づいて実物に近似の複製品からなる記念投票券を発行する記念投票券発行装置及び記念投票券発行プログラムを提供することができる。
【図面の簡単な説明】
【００１９】
【図１】本発明の実施例１に係る公営競技場のトータリゼータシステム（ＴＺＳ）を示す図である。
【図２】実施例１に係るＴＺＳサーバのハードウェア構成の一例を示すブロック図である。
【図３】実施例１に係る記念投票券発行装置が各所に配置されている公営競技場のＴＺＳのＴＺＳサーバの機能構成を示すブロック図である。
【図４】実施例１に係る記念投票券発行装置としてのＴＺＳ端末機４の概要を説明するための図である。
【図５】実施例１に係る記念投票券発行装置のハードウェア構成の一例を示すブロック図である。
【図６】実施例１に係る記念投票券発行装置としてのＴＺＳ端末機の機能構成を示すブロック図である。
【図７】(a)は競馬の「単勝」馬券の例を示す図、(b)は大きなレースの「馬番連単」の馬券の例を示す図である。
【図８】(a)は馬券の記載面から数字列のみを取り出して示す図、(b)はＱＲコードのみを取り出して示す図である。
【図９】一般的な投票券情報の内容を説明するための図表である。
【図１０】実施例１に係るＴＺＳ端末機（記念投票券発行装置）において複製される的中投票券の投票券情報を説明する図表である。
【図１１】実施例１に係る携帯電子端末のハードウェア構成の一例を示すブロック図である。
【図１２】Ｗｅｂ投票券の購入とそのＷｅｂ投票券の複製投票券の発券に関わる携帯電子端末の内部構成のブロック図である。
【図１３】携帯電子端末を用いて行なわれるＴＺＳＷｅｂサービスでのＷｅｂ投票券購入の操作例を示すフローチャートである。
【図１４】携帯電子端末を用いて行なわれるＴＺＳＷｅｂサービスでのＷｅｂ投票券の券化のための前段の手続きを説明するフローチャートである。
【図１５Ａ】ＴＺＳ端末機において処理される的中投票券の複製又はＷｅｂ投票券の券化を行う処理を示すフローチャート（その１）である。
【図１５Ｂ】ＴＺＳ端末機において処理される的中投票券の複製又はＷｅｂ投票券の券化を行う処理を示すフローチャート（その２）である。
【図１６】Ｗｅｂ投票券の券化処理においてＴＺＳ端末機の表示画面に表示される画面表示の例を示す図（その１）である。
【図１７】Ｗｅｂ投票券の券化処理においてＴＺＳ端末機の表示画面に表示される画面表示の例を示す図（その２）である。
【図１８】Ｗｅｂ投票券の券化処理においてＴＺＳ端末機の表示画面に表示される画面表示の例を示す図（その３）である。
【図１９】Ｗｅｂ投票券の券化処理においてＴＺＳ端末機の表示画面に表示される画面表示の例を示す図（その４）である。
【発明を実施するための形態】
【００２０】
以下、本発明の実施の形態について、詳細に説明する。
［実施例１］
【００２１】
図１は、本発明の実施例１に係る記念投票券発行プログラムをアプリケーションソフトウエア（以下、アプリソフト）として搭載された記念投票券発行装置が各所に配置されている公営競技場のトータリゼータシステム（以下、ＴＺＳ）を示す図である。
【００２２】
なお、本実施例１における記念投票券発行装置は、通常のトータリゼータ端末に、上記のように記念投票券発行プログラムをアプリソフトとして搭載されて、通常のマークカードに基づく投票券の発券の他に記念投票券の発券も可能なトータリゼータ端末（以下、ＴＺＳ端末機）である。
【００２３】
図１に示すように、本例のＴＺＳ１は、ＴＺＳ端末機制御サーバ（以下、ＴＺＳサーバ）２に複数のＴＺＳ端末機接続ボード３が有線又は無線で接続され、更にそれらの各ＴＺＳ端末機接続ボード３、１枚当たりに百数十（複数）台のＴＺＳ端末機４が有線又は無縁で接続されて構成されている。
【００２４】
次に、ＴＺＳサーバ２のハードウェア構成について説明する。図２は、ＴＺＳサーバ２のハードウェア構成の一例を示すブロック図である。図２に示すように、ＴＺＳサーバ２は、Ｃｅｎｔｒａｌ Ｐｒｏｃｅｓｓｉｎｇ Ｕｎｉｔ（ＣＰＵ）１０２、メモリ１０４、入力装置１０６、出力装置１０８、外部記憶装置１１２、媒体駆動装置１１４、ネットワーク接続装置１１８等がバス１１０を介して接続されている。
【００２５】
ＣＰＵ１０２は、ＴＺＳサーバ２全体の動作を制御する演算処理装置である。メモリ１０４は、ＴＺＳサーバ２の動作を制御するプログラムを予め記憶したり、プログラムを実行する際に必要に応じて作業領域として使用したりするための記憶部である。メモリ１０４は、例えばＲａｎｄｏｍ Ａｃｃｅｓｓ Ｍｅｍｏｒｙ（ＲＡＭ）、Ｒｅａｄ Ｏｎｌｙ Ｍｅｍｏｒｙ（ＲＯＭ）等である。入力装置１０６は、ＴＺＳサーバ２の使用者により操作されると、その操作内容に対応付けられている使用者からの各種情報の入力を取得し、取得した入力情報をＣＰＵ１０２に送付する装置であり、例えばキーボード装置、マウス装置などである。出力装置１０８は、ＴＺＳサーバ２による処理結果を出力する装置であり、表示装置などが含まれる。例えば表示装置は、ＣＰＵ１０２により送付される表示データに応じてテキストや画像を表示する。
【００２６】
外部記憶装置１１２は、例えば、ハードディスクなどの記憶装置であり、ＣＰＵ１０２により実行される各種制御プログラムや、取得したデータ等を記憶しておく装置である。媒体駆動装置１１４は、可搬記録媒体１１６に書き込みおよび読み出しを行うための装置である。ＣＰＵ１０２は、可搬型記録媒体１１６に記録されている所定の制御プログラムを、記録媒体駆動装置１１４を介して読み出して実行することによって、各種の制御処理を行うようにすることもできる。可搬記録媒体１１６は、例えばＣｏｎｐａｃｔ Ｄｉｓｃ（ＣＤ）−ＲＯＭ、Ｄｉｇｉｔａｌ Ｖｅｒｓａｔｉｌｅ Ｄｉｓｃ（ＤＶＤ）、Ｕｎｉｖｅｒｓａｌ Ｓｅｒｉａｌ Ｂｕｓ（ＵＳＢ）メモリ等である。ネットワーク接続装置１１８は、有線または無線により外部との間で行われる各種データの授受の管理を行うインタフェース装置である。バス１１０は、上記各装置等を互いに接続し、データのやり取りを行う通信経路である。
【００２７】
図３は、ＴＺＳサーバ２の構成を示すブロック図である。本例のＴＺＳサーバ２は、機能部５の各機能が、記憶部６の複数のデータベース（以下、ＤＢという）を利用しながら処理を行なっている。
【００２８】
記憶部６には、開催情報ＤＢ７、顧客口座ＤＢ８、投票履歴ＤＢ９、払戻履歴ＤＢ１０が備えられている。顧客口座ＤＢ８は、会員カードを有する固定客を特定するためと、ＴＺＳサーバ２がＷｅｂ上にＴＺＳＷｅｂサービスの一環として展開している仮想場外売場で投票券を購入したファンを特定するために備えられている。
【００２９】
ファンからの購入希望に対して仮想場外売場で発行される投票券は、印刷された目に見える投票券ではなく、投票したものとしてＴＺＳサーバ２に記憶される目には見えない電子データであるので、以下、通常の印刷された投票券と区別するために、仮想場外売場で発行される投票券をＷｅｂ投票券ということにする。
【００３０】
機能部５は、バス１１を介して、通信処理機能１２、開催情報管理機能１３、顧客情報１４、投票処理機能１５、払戻機能１６、券化投票券処理機能１７、入金清算処理機能１８、銀行通信処理機能１９が接続されている。
【００３１】
通信処理機能１２には、有線又は無線を介して、ＴＺＳ端末機４からのクライアント要求通信２０が行なわれる。クライアント要求通信２０は、例えば、競技の開催情報等のＴＺＳシステム関連情報２１や投票や払戻の照会等の投票・照会通信２２などを含む通信である。
【００３２】
ＴＺＳ端末機４から通信処理機能１２を介してＴＺＳサーバ２に入力されるクライアント要求通信２０の各種要求通信に対して、それぞれ対応する開催情報管理機能１３、顧客情報１４、投票処理機能１５、払戻機能１６、券化投票券処理機能１７、入金清算処理機能１８が、記憶部６のそれぞれ対応するＤＢ７、８、９又は１０のデータを読出し又は更新しながら対処する。
【００３３】
券化投票券処理機能１７は、ＴＺＳ端末機４からのクライアント要求通信２０に含まれる的中投票券を複製するための処理機能と、Ｗｅｂ投票券を、印刷された目に見える投票券にする（券化する）ための処理機能を備えている。
【００３４】
銀行通信処理機能１９は、他の管理機能や処理機能と連携し、顧客口座ＤＢ８を参照しながらＷｅｂ投票券を購入したファンに対するＷｅｂ投票券購入課金の回収と、そのＷｅｂ投票券が的中したときに払戻金の振込みを行なうために、オンライン銀行口座２３と通信を行なう。
【００３５】
なお、機能部５の上記券化投票券処理機能１７以外の機能は、従来からあるＴＺＳサーバの機能であるので、ここでの説明は省略する。
【００３６】
次に、図４は、記念投票券発行装置としてのＴＺＳ端末機４の概要を説明する図である。本例のＴＺＳ端末機４は、表示窓２０１、投票券投出入口２０２、投票カード投出入口 ２０３、紙幣投出入口２０４、タッチパネル２０５、ディスプレイ２０６、硬貨払出口２０７、硬貨投入口２０８、ＩＣカード挿入排出口２２４、２次元コード読取窓２２６を備える。表示窓２０１は、ＴＺＳ端末機４が投票券の発券受付中か、発券停止中かを表示する。投票券投出入口２０２は、発券する投票券の投出口であり、また払い戻しをする投票券の投入口である。また、発券する記念投票券の投出口でもある。なお、投票券の投出口と投票券の投入口を一体に設けたが、別体とすることもできる。投票カード投出入口２０３は、投票カードの投入口であり、また返却する投票カードの投出口である。なお、投票カードの投出口と投票カードの投入口を一体に設けたが、別体とすることもできる。紙幣投出入口 ２０４は、紙幣の投入口であり、また返却または釣銭として紙幣を払い出す紙幣の投出口 である。なお、紙幣の投出口と紙幣の投入口を一体に設けたが、別体とすることもできる。
【００３７】
ディスプレイ２０６は、ファン（利用者）に操作案内、レース案内、投票カードの投票内容、券化処理、記念投票券発行などの情報を客に表示する情報表示装置である。ディスプレイ２０６は、たとえば、液晶ディスプレイである。ディスプレイ２０６は、タッチパネル２０５の下層に位置している。ディスプレイ２０６の表示する画像は、タッチパネル２０５を透過して、客から視認可能である。ファンは、ディスプレイ２０６によって表示された画像を見ながら、タッチパネル２０５に対するタッチ操作（たとえば、情報表示切替操作、投票券購入操作、投票内容修正操作、券化処理操作など）をおこなうことができる。硬貨投入口２０８は、硬貨の投入口である。硬貨払出口２０７は、返却または釣銭として硬貨を払い出す払出口である。なお、硬貨投入口２０８と硬貨払出口２０７を別体に設けたが、一体とすることもできる。ＩＣカード挿入排出口２２４は、ファンからＩＣカード挿入排出口に挿入されたＩＣカード３９のデータを読み取って、そのＩＣカード３９の所有者の個人データを特定する。また、データを読み取ったＩＣカード３９をＩＣカード挿入排出口２２４から外部に放出してファンに返却する。尚、ＩＣカード挿入排出口２２４は、本内容に限定されるものではなく、非接触ＩＣカードの場合は、ＩＣカード挿入排出口の代わりに置き換え、または追加により、非接触ＩＣカード読取窓とすることができる。これにより、非接触ＩＣカードでも使用が可能となる。２次元コード読取窓２２６は、２次元コード読取装置の読取窓の前にかざされた、例えば携帯電子端末等の表示画面に表示された２次元コードの画像が示す２次元コードデータ４１を読み取る。尚、２次元コードに限定されるものではなく、１次元コード（バーコード）であってもよい。
【００３８】
ＴＺＳサーバ２は、ＴＺＳ端末機４と通信をし、ＴＺＳ端末機４がおこなう投票券の発券や投票券の払い戻し、券化処理等を管理する。また、ＴＺＳサーバ２は、オッズの表示と集 計、配当金の計算などをおこなう。ＴＺＳサーバ２とＴＺＳ端末機４は、ネットワーク２３０を介して通信をおこなう。
【００３９】
次に、記念投票券発行装置としてのＴＺＳ端末機４のハードウェア構成について図５を用いて説明する。図５は、実施形態のＴＺＳ端末機４のハードウェア構成例を示す図である。
【００４０】
ＴＺＳ端末機４は、ＴＺＳ端末機制御部２００ａ、ディスプレイ２０６、管理者用ディスプレイ２１６を備える。また、ＴＺＳ端末機４は、タッチパネル２０５、管理者用タッチパネル２１７、投票カード読取ユニット２１８、紙幣還流ユニット２１９、硬貨還流ユニット２２０、投票券印刷ユニット２２１、払戻投票券読取ユニット２２２、ＩＣカード読取ユニット２２５、２次元コード読取ユニット２２７を備える。
【００４１】
ＴＺＳ端末機制御部２００ａは、ＣＰＵ（Central Processing Unit）２０９によって装置全体が制御されている。ＣＰＵ２０９には、バス２１５を介してＲＡＭ（Random Access Memory）２１０、ＨＤＤ（Hard Disk Drive）２１１、通信インタフェース２１２ 、グラフィック処理装置２１３、および入出力インタフェース２１４が接続されている。
【００４２】
ＲＡＭ２１０には、ＣＰＵ２０９に実行させるＯＳ（Operating System）のプログラム やアプリケーションプログラムの少なくとも一部が一時的に格納される。また、ＲＡＭ２１０には、ＣＰＵ２０９による処理に必要な各種データが格納される。ＨＤＤ２１１には、ＯＳやアプリケーションプログラムが格納される。
【００４３】
グラフィック処理装置２１３には、ディスプレイ２０６、管理者用ディスプレイ２１６が接続されている。グラフィック処理装置２１３は、ＣＰＵ２０９からの命令に従って、画像をディスプレイ２０６、管理者用ディスプレイ２１６の画面に表示させる。なお、管理者用ディスプレイ２１６は、ＴＺＳ端末機４の裏面側に備えられる管理者向けの情報表示装置である。
【００４４】
入出力インタフェース２１４には、タッチパネル２０５、管理者用タッチパネル２１７、投票カード読取ユニット２１８、紙幣還流ユニット２１９、硬貨還流ユニット２２０、投票券印刷ユニット２２１、払戻投票券読取ユニット２２２が接続されている。また、入出力インタフェース２１４は、可搬型記録媒体２２３への情報の書込み、および可搬型記録媒体２２３への情報の読出しが可能な可搬型記録媒体インタフェースと接続可能になっている。入出力インタフェース２１４は、タッチパネル２０５、管理者用タッチパネル２１７、投票カード読取ユニット２１８、紙幣還流ユニット２１９、硬貨還流ユニット２２０、投票券印刷ユニット２２１、払戻投票券読取ユニット２２２、可搬型記録媒体インタフェースから送られてくる信号を、バス２１５を介してＣＰＵ２０９に送信する。なお、管理者用タッチパネル２１７は、ＴＺＳ端末機４の裏面側に備えられる管理者向けの情報入力装置である。投票カード読取ユニット２１８は、投票カードから投票内容を読み取るユニットである。紙幣還流ユニット２１９は、紙幣の受け入れ、紙幣の真贋の鑑別、紙幣の収納、紙幣の返却、釣銭（紙幣）の払い出しをおこなう。硬貨還流ユニット２２０は、硬貨の受け入れ、硬貨の真贋の鑑別、硬貨の収納、硬貨の返却、釣銭（硬貨）の払い出しをおこなう。投票券印刷ユニット２２１は、投票券を印刷して発券する。また、券化された記念投票券を印刷して発券する。尚、投票券も券化された複製投票券も同じ投票券用紙、および同じ印字レイアウト、同じインクを使用する。払戻投票券読取ユニット２２２は、投票券を受け入れて投票内容を読み取る。ＩＣカード読取ユニット２２５は、ＩＣカード挿入排出口２２４に挿入されたＩＣカード３９のデータを読み取って、そのＩＣカード３９の所有者の個人データを特定する。２次元コード読取ユニット２２７は、２次元コード読取窓２２６の前にかざされた、例えば携帯電子端末等の表示画面に表示された２次元コードの画像が示す２次元コードデータ４１を読み取る。
【００４５】
通信インタフェース２１２は、ネットワーク２３０に接続されている。通信インタフェース２１２は、ＴＺＳサーバ２との間でデータの送受信をおこなう。 以上のようなハードウェア構成によって、本実施の形態の処理機能を実現することができる。
【００４６】
なお、ＴＺＳ端末機制御部２００ａは、それぞれＦＰＧＡ（Field Programmable Gate Array）やＤＳＰ（Digital Signal Processer）などからなるモジュールを含んで構成することもでき、ＣＰＵ２０９を有しない構成とすることもできる。その場合、ＴＺＳ端末機制御部２００ａは、それぞれ不揮発性メモリ（たとえば、ＥＥＰＲＯＭ（Electric ally Erasable and Programmable Read Only Memory）、フラッシュメモリ、フラッシュメモリ型メモリカードなど）を備え、モジュールのファームウェアを記憶する。不揮発性メモリは、可搬型記録媒体２２３、あるいは通信インタフェース２１２を介してファームウェアを書き込むことができる。このようにＴＺＳ端末機制御部２００ａは、不揮発性メモリに記憶されているファームウェアを書き換えることにより、ファームウェアの更新をすることもできる。
【００４７】
また、上記実施の形態による記念投票券発行させるプログラムは、例えばＨＤＤ２１１に記憶させる。ＣＰＵ２０９は、ＨＤＤ２１１からプログラムを読み出し、ＴＺＳ端末機制御部２００ａに記念投票券発行の動作を行なわせる。このとき、まず、投記念投票券発行の処理をＣＰＵ２０９に行わせるための制御プログラムを作成してＨＤＤ２１１に記憶させておく。そして、タッチパネル２０５から所定の指示をＣＰＵ２０９に与えて、この制御プログラムをＨＤＤ２１１から読み出させて実行させるようにする。また、このプログラムは、可搬記録媒体２２３等に記憶するようにしてもよい。
【００４８】
次に、図６は、記念投票券発行装置としてのＴＺＳ端末機４の構成を示すブロック図である。本例のＴＺＳ端末機４は、外部対応機能部２５、内部処理機能部２６、及び記憶部２７を備えている。
【００４９】
外部対応機能部２５は、投票券読取機能２８、投票券発券機能２９、マークカード読取機能３１、現金受付放出機能３２、ＩＣカード受付放出機能３３、ＱＲコード読取機能３４等を備えている。
【００５０】
投票券読取機能２８は、ファンが投入口に入れた発券済みの投票券３５のデータ記載箇所に記載されているデータを読み取る機能である。投票券発券機能２９は、マークカード投入口に投入され、マークカード読取機能３１により読み取られた、マークカード３７のマークが示す投票内容に基づいて、投票内容を印刷した新規の投票券３６を発券する機能である。
【００５１】
現金受付放出機能３２は、ファンにより購入した投票券３６の対価として貨幣投入口に投入された現金を受け入れて収容部に収容する機能、受け入れた現金が過剰なとき差額を払い出す機能、及び投票券読取機能２８により読み取られた投票券３５が的中券であるとき、その配当金を払い戻す機能を有している。
【００５２】
ＩＣカード受付放出機能３３は、ファンからＩＣカード挿入排出口に挿入されたＩＣカード３９のデータを読み取って、そのＩＣカード３９の所有者の個人データを特定する機能と、データを読み取ったＩＣカード３９をＩＣカード挿入排出口から外部に放出してファンに返却する機能である。
【００５３】
ＱＲコード読取機能３４は、詳しくは後述するＱＲコード読取装置の読取窓の前にかざされた例えば携帯電子端末等の表示画面に表示されたＱＲコードの画像が示すＱＲデータ４１をカメラで読み取る機能である。ＱＲデータにはＷｅｂ投票券を特定するために必要な情報が含まれている。
【００５４】
内部処理機能部２６は、開催情報管理機能４２、発券処理機能４３、払戻機能４３、現金管理機能４５、端末管理機能４６、券化処理機能４７、ホスト通信機能４８、通信データ生成処理機能４９を備えている。
【００５５】
これらの機能は、外部対応機能部２５の各機能と連携しながら、記憶部２７の記憶装置の情報記憶領域５１に格納される開催情報、発券情報、読取情報、現金情報等からなる各種情報や、端末設定記憶領域５２に格納される端末設定情報等を、読出し、書込み又は更新し、あるいはＴＺＳサーバ２と通信しながら、各機能名に対応する処理を行なうように構成されている。
【００５６】
ここで、公営競技場で行なわれる公営競技の投票券について、競馬の馬券を例にとって簡単に説明する。
【００５７】
図７(a)は競馬の「単勝」馬券の例を示す図であり、図７(b)は大きなレースの「馬番連単」の馬券の例を示す図である。競馬の単勝馬券には、競走馬名と騎手名が記載されていることがある。尚、本内容は、１例であり、これに限定されるものではない。
【００５８】
図７(a)に示す単勝・馬券５３の例では、最上部のレース名欄５４に、「ＰＱＲ第４８回ＳＴ記念」とレース名が記載され、式別欄６０は、馬券中央に縦長の枠内に「単勝」という馬券の種類（式別）が記載されている。
【００５９】
そして、式別欄６０の右方には、投票対象欄５５には、投票した馬番が「１５」と記載され、その横に並ぶ競走馬名欄５５ａには「□△○」と馬番「１５」の競走馬名の「○△○」が記載されている。また、その斜め下方の騎手名欄５５ｂには、馬名「□△○」の馬に騎乗する騎手名が「○×（苗字）△□（名前）」と記載されている。
【００６０】
式別欄６０の左方には、この馬券が１１レース目の馬券であること、この競技が２３年度の開催１１回目の３日目であることが記載され、その下に２つのＱＲコード５７が横に並んで記載されている。
【００６１】
ＱＲコード５７の下には、この馬券が発行された日付が「２３年９月１４日」と記載され、続いてその下に、この競技の主催者が「ＹＹＹ競馬組合」であることが記載され、その下には、３行に分けて記載された数字列５８を挟んで馬券の最下端に、この開催場名欄５９に「○○△」競馬場と記載されている。
【００６２】
ファンは、このようなＧＩレース等の格式の高いレースでの馬券を、競走馬「□△○」と騎手「「○×△□」が勝利することを祈願して「記念投票券」として購入することがある。このような「記念投票券」は「ご祝儀馬券」とも呼ばれているが、いずれにせよ、ファンの間では、趣味の収集対象として扱われている。
【００６３】
なお、３行に分けて記載された数字列５８は、当該馬券の目に見える全ての記載内容を情報データとしてコード化したものであり、２つのＱＲコード５７は、コード化された数字列５８を更に二次元コード化したものである。
【００６４】
なお、競技場のなかには、ＱＲコードの読取に未対応のＴＺＳ端末を備えているところもある。そのような競技場で売り出される投票券の場合は、上記のＱＲコード５７に代えて例えば馬券の下端部の横幅全体にわたってバーコードが記載されている。
【００６５】
図７(b)に示す馬番連単・馬券６１の例では、最上部のレース名欄６２に、「ＸＹＺケイバ第１０回ＥＦＧスプリント」とレース名が記載され、式別欄６９は、馬券中央に縦長の枠内に「馬番連単」という馬券の種類（式別）が記載されている。
【００６６】
そして、その右方の投票対象欄６３には、投票した２頭の馬番「６」と「１４」と馬名「△△△」と「□□□」が投票した内容に従って記載されている。また、式別欄６９の左方には、この場合も、２つのＱＲコード５７と３行に分けた数字列５８が記載されている。
【００６７】
なお、数字列５８は、数字だけとは限らず、１６進法の１１、１２、・・・を示すＡ、Ｂ、・・・を伴って表される場合もある。
【００６８】
図８(a)は、馬券の記載面から数字列５８のみを取り出して示す図であり、図８(b)はＱＲコード５７のみを取り出して示す図である。ＷＥＢ投票の場合を例にとると、馬券面のＱＲコードには主催者のホームページへのＵＲＬが埋め込まれている。
【００６９】
しかし、本例では、図８(a)の数字列５８、及び図８(b)のＱＲコード５７は、同一のデータ内容を示すようにしている。ここで、数字列５８はそのままで解読できるコードである。
【００７０】
ＱＲコード５７は、小さな表示面積の中に多量の情報を持たせることが出来る二次元コードであり、画像データとして通信網に乗せて転送が可能であり、転送先において数字列５８にデコードして解読することができる。
【００７１】
図９は、一般的な投票券情報の内容を説明するための図表である。図９の図表６４に示すように投票券情報は、競技欄６５、賭式欄６６、コード欄６７の３つに大別される。競技欄６５には、競技開催場、施行者、開催日、競技内容等に関する情報が記述される。実際には、投票券情報には上記以外にも券面に印刷されている全ての情報が含まれている。
【００７２】
賭式欄６６には、購入された投票券情報として、投票賭式、投票形式、投票組番、購入金額等が、それぞれに所定の桁数の数字が対応付けられて記述される。コード欄６７８には、上記の全ての情報がコード化され、所定桁数の３行の数字列５８として記述される。
【００７３】
図１０は、本例のＴＺＳ端末機（記念投票券発行装置）４において、複製される的中投票券の投票券情報を説明する図表である。図１０に示す複製投票券情報の図表６８に示すように、複製投票券情報は、競技欄６５と賭式欄６６は的中投票券の本券と何ら変わるところはない。
【００７４】
ただし、本券のコード欄６７の３行の数字列５８が、複製であること示すための数字列５８´に置き換えられ、更にこの置き換えられた数字列５８´が２つのＱＲコードにエンコードされている。換言すれば、３行の数字列と２つのＱＲコード以外の記載情報は、複製前の的中投票券の記載情報と同一である。
【００７５】
そして、３行の数字列と２つのＱＲコードが無意味な情報に書き換えられているので、読取装置にかけられたとき直ちに的中投票券の本券ではない、すなわち複製であることが判明するようになっている。
【００７６】
ここで、本例のＴＺＳ端末機４は、人目で見たとき的中投票券の本券に限りなく近似であるような複製の的中投票券を作成することを目的としている。したがって、競技欄６５と賭式欄６６の記載が的中投票券の記載と同一であるのはよしとして、数字列５８´も本券に近似であるように見えることが望ましい。
【００７７】
そこで、上記の数字列の置き換えは、３行の数字全てを置き換えるのではなく、本券を特定する最も重要な数字列のみを、無意味な数字列、例えば「９９９９９・・・０００００」等に置き換えるものである。このデータを置き換えられた数字列５８´は、そのままＱＲコードに変換される。
【００７８】
ここで、投票券の購入について説明する。ただし、競技場内または場外売場で発売される印刷された投票券の購入は従来同様であるのでここでの説明は省略する。ここでは、Ｗｅｂ投票券の購入と、そのＷｅｂ投票券の複製投票券、又は印刷された投票券の的中投票券の複製投票券の発券について説明する。
【００７９】
図１１は、携帯電子端末７０のハードウェア構成の一例を示す図である。図１１に示すように、携帯電子端末７０は、例えば、携帯電話、携帯情報端末等であり、処理部３２０，カメラ３２１，電源部３２２、通信装置３２３，ディスプレイ３２５，入力装置３２７を有している。処理部３２０は、ＣＰＵ（Ｃｅｎｔｒａｌ Ｐｒｏｃｅｓｓｉｎｇ Ｕｎｉｔ）３３１，入出力装置３３７，記憶装置３４０を有している。ＣＰＵ３３１は、例えば、記憶装置３４０に記録されたプログラムを読み込んで実行することにより、携帯電子端末７０を制御する装置である。
【００８０】
記憶装置３４０は、例えば、ＲＡＭ（Ｒａｎｄｏｍ Ａｃｃｅｓｓ Ｍｅｍｏｒｙ）３３３，ＲＯＭ（Ｒｅａｄ Ｏｎｌｙ Ｍｅｍｏｒｙ）３３５を有している。ＲＡＭ３３３ は、各種プログラムや、各種演算結果を記録するとともに必要に応じて作業用記憶領域として使用する、随時書き込み読み出し可能な記憶装置である。ＲＯＭ３３５は、携帯電子端末７０における処理を行うための基本的なプログラムなどを記憶させておく、読出し可能な記憶装置である。入出力装置３３７は、カメラ３２１，電源部３２２，通信装置３２３，ディスプレイ３２５，入力装置３２７とＣＰＵ３３１との間のインタフェース装置である。
【００８１】
カメラ３２１は、画像を撮影する撮影装置であり、本実施の形態においては、ＱＲ（Ｑｕｉｃｋ Ｒｅｓｐｏｎｓｅ）コード（商標）等の２次元コード読取装置として動作する。２次元コードの読取については、携帯情報端末に標準で搭載されたバーコードリーダ機能を用いることが可能である。携帯電子端末７０がパーソナルコンピュータである場合には、既存の２次元コード読取装置を接続することなどにより、読取が可能である。
【００８２】
電源部２２２は、携帯電子端末７０に電力を供給する電源である。通信装置３２３は、ネット ワーク３５０を介して通信を行う装置である。ディスプレイ３２４は、例えば液晶表示装置 などの表示装置である。入力装置３２５は、携帯電子端末７０の利用者が触れることにより携帯電子端末７０に各種処理を指示する入力装置であり、例えばタッチパネルや入力ボタン等である。
【００８３】
図１２は、Ｗｅｂ投票券の購入とそのＷｅｂ投票券の複製投票券の発券に関わる携帯電子端末の内部構成のブロック図である。図１２に示す携帯電子端末７０は、例えば携帯電話、携帯電子パッド、パーソナルコンピュータ（以下、ＰＣ）等である。
【００８４】
図１２に示す携帯電子端末７０の構成の中で、ＱＲコード読取制御部７１、モバイル端末制御部７２、ワイヤレス通信制御部７３、及びモバイル端末が使用する領域７４は、従来の携帯電子端末に既に備えられている構成部分である。
【００８５】
本例では、このような従来からある携帯電子端末の構成に加えて、携帯電子端末のメモリにインストールされるアプリソフトによって動作する機能として、投票券情報変換機能７５、券化アプリ制御機能７６、ＱＲ情報生成機能７７が追加され、また、これらアプリソフトの各機能が使用する記憶領域として読取投票券情報保存領域７８が確保される。
【００８６】
なお、ＱＲコード読取制御部７１にはカメラを備えたＱＲコードリーダ装置７９が接続されている。これにより、例えば電子メールに添付されて携帯電子機器等に送られてきたＱＲコードの画像を読み取ることができる。また、ワイヤレス通信制御部７３には通信装置８１が接続されている。これによりＴＺＳサーバ２と各種の通信が可能である。
【００８７】
図１３は、図１２に示す携帯電子端末７０を用いて行なわれるＴＺＳＷｅｂサービスでのＷｅｂ投票券購入の操作例を示すフローチャートである。なお、図１３は、ファンによる入力操作、携帯電子端末７０内部の処理動作、ＴＺＳサーバ２の処理動作を３つの区分に分けて示すべきところを一連の流れとして記載し、３つの区分を左方に示している。
【００８８】
先ず、処理の開始の冒頭にファンは、ＰＣ又は他の携帯型電子機器（以下、まとめてＰＣ等という）を用いて、オンライン口座への入金手続きを行なう（ステップＳ１）。この手続きでは、金額はもちろん銀行口座にある預金額を超えてはならないが、預金額内であれば、これから購入するＷｅｂ投票券の購入金額に見合う任意の金額を入金する。
【００８９】
これにより、Ｗｅｂ上のオンライン口座に入金処理がなされる（ステップＳ２）。
続いて、ファンは、ＰＣ等を用いてＴＺＳＷｅｂサービスのサイトにログインする（ステップＳ３）。これにより、特には図示しないが、ＰＣ等の表示画面にＴＺＳＷｅｂサービスの入金受付画面が表示される。
【００９０】
ここで、ファンは、入金受付画面によりＴＺＳＷｅｂサービスへの入金処理を行なう（ステップＳ４）。この処理では、ＴＺＳサーバ２からファンの口座のある銀行に、ＴＺＳＷｅｂサービスへの入金処理が行なわれたことが通知される。
【００９１】
この通知に基づいて、上記の入金処理に相当する金額が銀行オンライン口座から出金されて、その出金された金額がＴＺＳＷｅｂサービスの売上金管理部に入金される（ステップＳ５）。
【００９２】
上記に続いて、ファンは、投票券購入情報を入力する（ステップＳ６）。ここでの投票券購入情報としては、ファンがＴＺＳＷｅｂサービスに会員として登録している会員ＩＤと、所望の賭式のデータが入力される。
【００９３】
ファンは、入力したデータに間違いが無いことを確認して、「購入」の入力操作を行なう（ステップＳ７）。この操作に応じて、ＴＺＳサーバ２は、先ず、ファンの購入操作を受理する（ステップＳ８）。
【００９４】
次に、投票履歴のＤＢを参照し、当該ファンが会員か否か、過去に購入代金の未払い等の事故を起こしていないか等の投票可否を判定し（ステップＳ９）、投票可の判定が得られたときは、ファンのＰＣ等へ判定結果を返信する（ステップＳ１０）。
【００９５】
この返信された判定結果には、購入された賭式や購入代金と共に銀行オンライン口座の残金が表示される（ステップＳ１１）。ファンは、その画面内容を確認して、ＴＺＳＷｅｂサービスのサイトからログオフする。これにより、Ｗｅｂ投票券の購入が終了する。
【００９６】
前述したように、ファンには、自分が購入した投票券を記念投票券として永久保存したい場合が生じる。競技場内または場外売場で購入した投票券の場合は、そのまま保存できる。また的中券の場合はコピーして複製のほうを保存できる。
【００９７】
しかし、Ｗｅｂ投票券の場合は、取引が全て電子データで行われているため、競技場や場外売場で購入した投票券にように、手にとって目で見ることのできる投票券とすることつまり「券化」することは実現されていなかった。しかし、本例ではこれを可能にする。
【００９８】
図１４は、図１２に示す携帯電子端末７０を用いて行なわれるＴＺＳＷｅｂサービスでのＷｅｂ投票券の券化のための前段の手続きを説明するフローチャートである。なお、図１４は、この場合もファンによる入力操作、携帯電子端末７０内部の処理動作、ＴＺＳサーバ２の処理動作を３つの区分に分けて示すべきところを一連の流れとして記載し、３つの区分を左方に示している。
【００９９】
なお、図１４に示す処理の開始にあたっては、特には図示しないが、ファンは手持ちの電子端末、例えばＰＣで、ＴＺＳＷｅｂサービスのサイトにログインする。これにより、ファンのＰＣの表示画面にＴＺＳＷｅｂサービスの画面が表示される。その画面上には、ファンが選択入力すべきサービスの種類が表示されている。
【０１００】
ここで、ファンは、「券化サービスを」を選択してクリック入力する（ステップＭ１）。この入力により、表示画面が「投票券（Ｗｅｂ投票券のこと、以下同様）データ券化サービス」の画面に切り替わる（ステップＭ２）。
【０１０１】
この「投票券データ券化サービス」の画面には、券化可能な購入データの一覧が表示される（ステップＭ３）。この処理では、例えば直近の一定期間内にファンが購入した投票券の購入データが一覧表示される。
【０１０２】
ファンは、その一覧表示画面から、券化したい投票券の購入データを選択し（ステップＭ４）、画面上の「確認」ボタンをクリック入力して、選択した投票券購入データを確定する（ステップＭ５）。
【０１０３】
ＴＺＳサーバ２は、ファンのＰＣから、選択した投票券購入データが確定された信号を受け取ると、投票券データを「券化用ＱＲコード」に変換し（ステップＭ６）、その変換した「券化用ＱＲコード」をファンのＰＣに送信して、ＰＣの表示画面に表示させる（ステップＭ７）。
【０１０４】
ここで、ファンは、携帯電子端末７０（例えば、携帯電話）に搭載されている「Ｗｅｂ購入投票券券化アプリ」を起動する（ステップＭ８）。これにより、図１２に示した券化アプリ制御機能７６が起動される。
【０１０５】
券化アプリ制御機能７６は、アプリとメモリ領域を初期化する（ステップＭ９）。この処理では、アプリ本体の前回起動が終了したときまでの計算データ等の記憶回路や、読取投票券情報保存領域７８が初期化される。
【０１０６】
続いて、ＰＣの表示画面に表示されている「券化用ＱＲコード」を携帯電話に内蔵のカメラで読み取る（ステップＭ１０）。そして、その読み取った「券化用ＱＲコード」を読取投票券情報保存領域７８に保存する（ステップＭ１１）。
【０１０７】
ファンは、携帯電話のアプリ終了ボタンを押して、Ｗｅｂ購入投票券券化アプリを終了させる（ステップＭ１２）。券化アプリ制御機能７６は、Ｗｅｂ購入投票券券化アプリの終了処理を行う（ステップＭ１３）。
【０１０８】
ここまでで、Ｗｅｂ投票券の券化のための前段の手続きが終了する。この後、ファンは、上記の「券化用ＱＲコード」を読取投票券情報保存領域７８に保存した携帯電話を所持して、ＴＺＳ端末機４が設置されている競技場に赴く。
【０１０９】
図１５Ａ、図１５Ｂは、それぞれＴＺＳ端末機４において処理される的中投票券の複製、又はＷｅｂ投票券の券化を行う処理を示すフローチャート（その１、その２）である。
【０１１０】
図１６〜図１９は、それぞれ、上記のＷｅｂ投票券の券化処理において、ＴＺＳ端末機４の表示画面に表示される画面表示の例を示す図である。
【０１１１】
先ず、図１１Ａにおいて、ファンは競技場に赴いて適宜のＴＺＳ端末機４の前に佇む。ＴＺＳ端末機４の表示画面には、コピーサービス画面が表示されている（ステップＳ１０１）。
【０１１２】
図１２に示すように、コピーサービス画面８２は、通常の発売・払戻を行うための画面と兼用になっており、画面の最上部には「現金か的中投票券を入れて下さい」と表示されている。「現金」は投票券を発売するためのもの、「的中投票券」は払戻しを行うためのものである。
【０１１３】
画面中央の左端から右端にわたって、現在競技が行なわれている全国の競馬場の名称○○、××、△△、□□、◎◎等が選択可能に表示され、それらの右に続いて、賭式を入力するための多数のボタンが、マトリクス状に並んで表示され、その下方に「投票券券化サービス」のボタンが表示されている。
【０１１４】
ここで、ＴＺＳ端末機４の制御部は、「コピーサービス」（「投票券券化サービス」）ボタンが選択入力されたか否かを判別する（ステップＳ１０２）。そして、「コピーサービス」ボタンが選択入力されていないときは（ステップＳ１０２の判別がＮｏ）、ステップＳ１０１に戻って、図１６に示す画面表示を表示し続ける。
【０１１５】
図１６に示す画面表示は、ＴＺＳ端末機４の待機画面を示しており、「コピーサービス」ボタンの表示だけでなく、上述したように、新規投票券の購入や的中券の払戻しもできる画面構成になっている。ここで、ファンが投票券の新規購入や的中券の払戻しをする場合は、通常の投票券の購入処理、又は的中券の払戻し処理に移行する。
【０１１６】
上記ステップＳ１０２の判別で、「コピーサービス」ボタンが選択入力されたときは（ステップＳ１０２の判別がＹｅｓ）、特には図示しないが、本例のコピーサービスの２つの手法「（１）投票券挿入」と「（２）ＱＲコード読取」の２つの入力ボタンを表示するとともに、２つのうちいずれを選ぶかを促すメッセージを表示画面に表示する（ステップＳ１０３）。
【０１１７】
そして、ファンからの選択入力を待機し（ステップＳ１０４の判別が未入力）、ファンからのボタン入力が「（２）ＱＲコード読取」であったときは、（ステップＳ１０４の判別がＱＲコード読取）、図１７に示すＱＲコード読取画面８３を表示画面に表示する（ステップＳ１０５）。
【０１１８】
図１７に示す例では、ＱＲコード読取画面８３には、最上部に「券化用ＱＲコードをかざして下さい」と表示され、中央には、ＴＺＳ端末機４の右上部分のカメラ部にパッド型携帯電話機の２つ並んだＱＲコードをかざす状態が図案化されて表示されている。また、その下方には「３０秒間無操作の場合は、サービスを終了します。」の表示が表示されている。
【０１１９】
ここで、ＴＺＳ端末機４の制御部は、ＱＲコード表示がＴＺＳ端末４のカメラ部にかざされているか否かを判別する（ステップＳ１０６）。かざされていなときは（ステップＳ１０６の判別がＮｏ）、かざされるまで待機する。ただし、この待機期間は図１７に示すように３０秒間である。
【０１２０】
そして、ＱＲコード表示がカメラ部にかざされていることを判別したときは（ステップＳ１０６の判別がＹｅｓ）、そのＱＲコードに含まれるＱＲデータを読み取る(ステップＳ１０７）。そして、取扱い可能な投票券であるか否か判別する(ステップＳ１０８）。
【０１２１】
この処理は、図１４のステップＭ６で処理された券化用ＱＲコードに変換された投票券データに対応するものであるかをＴＺＳサーバ２に問い合わせる処理である。
【０１２２】
そして、券化用ＱＲコードに変換された投票券データに対応するものでないときは（ステップＳ１０８の判別がＮｏ）、例えば「このＱＲコードでは券化できません。」等のメッセージを表示して、ステップＳ１０６の判別に戻り、次のＱＲコードの表示がかざされるまで待機する。
【０１２３】
また、上記判別で、かざされたＱＲコードが券化用ＱＲコードに変換された投票券データに対応するものであるときは（ステップＳ１０８の判別がＹｅｓ）、図１５Ｂにおいて、複製投票券印刷用の券面データを編集し（ステップＳ１０９）、その編集した券面データを投票券用の用紙に印刷する（ステップＳ１１０）。
【０１２４】
この編集と印刷の時間中は、図１８に示す処理中画面８４が、ＴＺＳ端末機４の表示画面に表示される。この処理中画面８４の中央に左から右に表示されている日付、競技場名、レースラウンド、賭式等は、図１０の図表６８の例に示した券面データに対応するものである。
【０１２５】
このように、複製に使用される用紙は本物の投票券を印刷するために使用される用紙であり、前述したように、複製投票券の券面データは、競技欄や賭式欄等は的中投票券の本券と何ら変わるところはなく、収集記念品として保管する価値が充分にあるものである。
【０１２６】
ただし、これも前述したように、投票券本券の数字列５８と２つのＱＲコードが、複製投票券が複製であること示す数字列５８´と２つのＱＲコードに置き換えられているので、後日、複製投票券がＴＺＳ端末機４に投入されたとしても、直ちにＷｅｂ投票券又は的中投票券の複製であることが判明する。
【０１２７】
図１５Ｂに戻り、上記のように編集され、印刷された複製投票券は、投票券排出口に排出される（ステップＳ１１１）。そして、図１９に示す終了画面８５が表示される。図１９に示す終了画面８５の例では、画面最上部に「Ｗｅｂ購入投票券の発券完了」と表示されている。
【０１２８】
また、画面中央には、「投票券１枚」の表示と「おつり０円」の表示が二段に分かれて表示され、画面の下端部には「ありがとうございました」と、ファンへのメッセージが表示されている。
【０１２９】
上記のように本例のＴＺＳシステムでは、ＴＺＳＷｅｂシステムで購入したＷｅｂ投票券を券化するために、電子的に購入した投票券情報をＱＲコードと言う形で生成し、それを携帯電子端末へ電子的に保存し、その携帯電子端末に保存されたＱＲコードのデータを、ＴＺＳ端末で読み取ることで券化する。
【０１３０】
しかし、上記のようにＱＲコード化して券化する手法は、単に手法の一例でしかなく、他にも以下のような手法に置き換えることが可能である。すなわち、ＴＺＳＷｅｂシステムで購入した投票券情報を、ＱＲコードではなく「暗号化コード」として画面に出力する。ファンはこの「暗号化コード」をメモ、または携帯電子端末に読み込み、ＴＺＳ端末でこのコードを入力する事でも同様の作用が得られる。
【０１３１】
なお、この場合、ＴＺＳＷｅｂシステムの「ＱＲコード生成機能」が「暗号化機能」に置き換わり、ＴＺＳ端末のＱＲ読取画面が「暗号化コード入力画面（暗号の復号化処理も含む）」に置き換わればよい。
【０１３２】
このように、本例のＴＺＳシステムでは、第１には、ＴＺＳ端末機に「投票券コピーサービス」機能を有するアプリソフトを実装することで、投票券と複製投票券が同じ投票券印刷ユニットを使用することで、容易に本券用の用紙を用いた複製投票券の発行（投票券コピーサービス）を提供する仕組みを実現することができる。
【０１３３】
そして、第２には、ＴＺＳＷｅｂシステムで電子的に購入され、電子データのみで、目には見えない投票券を、手にとって見ることができる複製投票券に券化する仕組みを実現できる。このように、２つの仕組みを構築することにより、現在行われている「投票券コピーサービス」のサービスの水準を大きく向上させることが可能になる。
【０１３４】
ところで、図１５Ａにおいて、ステップＳ１０４の判別が「（１）投票券挿入」であったときは、通常の的中投票券コピーサービスに処理が移行する。すなわち、先ず、投票券が投票券挿入口に挿入されたか否か判別し（ステップＳ１１３）、投票券が投票券挿入口に挿入されるまで待機する（ステップＳ１１３の判別がＮｏ）。
【０１３５】
そして、投票券が投票券挿入口に挿入されたなら（ステップＳ１１３の判別がＹｅｓ）、その投票券の記載データを読み取る（ステップＳ１１４）。次に、その読み取った記載データに基づいて当該投票券が取扱い可能な投票券かをチェックする（ステップＳ１１５）。
【０１３６】
この処理は、読み取った記載データが的中投票券であることを示しているかをチェックする処理である。そして、的中投票券でないときは（ステップＳ１１５の判別がＮｏ）、特には図示しないが、例えば「的中投票券ではないのでコピーの必要はありません」等のメッセージを表示画面に表示して、挿入された投票券を排出してファンに返却し、ステップＳ１１３の処理に戻る。
【０１３７】
一方、的中投票券であるときは（ステップＳ１１５の判別がＹｅｓ）、図１５ＢのステップＳ１１６、Ｓ１１７、Ｓ１１８の処理を行う。これら３つの処理は、前述したステップＳ１０９、Ｓ１１０、Ｓ１１１の処理と同一である。
【０１３８】
そして、この場合は、上記ステップＳ１１８の処理に続いて、挿入された的中投票券を排出してファンに返却する（ステップＳ１１９）。ここでの処理は、あくまで投票券コピーサービスの処理であり、的中投票券の払い戻しを受けるには、ファンは図１６に示す最初の画面表示に戻り、「投票券券化サービス」ボタンを押さずに、的中投票券を挿入口に入れることになる。
【０１３９】
なお、上述した実施例では、実施の形態の要旨を逸脱しない範囲内において種々の変更を加えることが出来ることはいうまでもない。
【産業上の利用可能性】
【０１４０】
本発明は、的中投票券に基づいて実物に近似の複製品からなる記念投票券を発行する記念投票券発行装置及び記念投票券発行プログラムに利用することができる。
【符号の説明】
【０１４１】
１  トータリゼータシステム（ＴＺＳ）
２  ＴＺＳ端末機制御サーバ（ＴＺＳサーバ）
３  ＴＺＳ端末機接続ボード
４  ＴＺＳ端末機（トータリゼータ端末、記念投票券発行装置）
５  機能部
６  記憶部
７  開催情報ＤＢ
８  顧客口座ＤＢ
９  投票履歴ＤＢ
１０  払戻履歴ＤＢ
１１  バス
１２  通信処理機能
１３  開催情報管理機能
１４  顧客情報
１５  投票処理機能
１６  払戻機能
１７  券化投票券処理機能
１８  入金清算処理機能
１９  銀行通信処理機能
２０  クライアント要求通信
２１  ＴＺＳシステム関連情報
２２  投票・照会通信
２３  オンライン銀行口座
２５  外部対応機能部
２６  内部処理機能部
２７  記憶部
２８  投票券読取機能
２９  投票券発券機能
３１  マークカード読取機能
３２  現金受付放出機能
３３  ＩＣカード受付放出機能
３４  ＱＲコード読取機能
３５  発券済み投票券
３６  新規の投票券
３７  マークカード
３９  ＩＣカード
４１  ＱＲデータ
４２  開催情報管理機能
４３  発券処理機能
４３  払戻機能
４５  現金管理機能
４６  端末管理機能
４７  券化処理機能
４８  ホスト通信機能
４９  通信データ生成処理機能
５１  情報記憶領域
５２  端末設定記憶領域
５３  単勝・馬券の一例
５４  レース名欄
５５  投票対象欄
５５ａ競走馬名欄
５５ｂ騎手名欄
５７  ＱＲコード（２次元コード）
５８  数字列
５９  開催場名欄
６０  賭式欄
６１  馬番連単・馬券の一例
６２  レース名欄
６３  投票対象欄（投票組番欄）
６４  投票券情報の内容を説明する図表
６５  競技欄
６６  賭式欄
６７  コード欄
６８  複製投票券情報の図表
６９  式別欄
７０  携帯電子端末
７１  ＱＲコード読取制御部
７２  モバイル端末制御部
７３  ワイヤレス通信制御部
７４  モバイル端末が使用する領域
７５  投票券情報変換機能
７６  券化アプリ制御機能
７７  ＱＲ情報生成機能
７８  読取投票券情報保存領域
７９  ＱＲコードリーダ装置
８１  通信装置
８２  コピーサービス画面
８３  ＱＲコード読取画面
８４  処理中画面
８５  終了画面
【図２】
2014215770.tif 000003
【図４】
2014215770.tif 000004
【図５】
2014215770.tif 000005
【図１１】
2014215770.tif 000006
【図１３】
2014215770.tif 000007
【図１４】
2014215770.tif 000008
【図１５Ｂ】
2014215770.tif 000009
【図１】
2014215770.tif 000010
【図３】
2014215770.tif 000011
【図６】
2014215770.tif 000012
【図７】
2014215770.tif 000013
【図８】
2014215770.tif 000014
【図９】
2014215770.tif 000015
【図１０】
2014215770.tif 000016
【図１２】
2014215770.tif 000017
【図１５Ａ】
2014215770.tif 000018
【図１６】
2014215770.tif 000019
【図１７】
2014215770.tif 000020
【図１８】
2014215770.tif 000021
【図１９】
2014215770.tif 000022